(57)【要約】【課題】従来の手の両面を乾燥する手乾燥装置は、温風ヒータで加熱された空気をファンモータが吸入して、掌および手の甲に同じ温度の温風が吹き付けられるので、凹凸の多い掌側が乾燥不足になる場合があった。【解決手段】空気を送り出すファンモータ１４,２４と、同ファンモータ１４,２４の上方に配設した空気を吹き出すための吹出ノズル１７,２７とを、それぞれ送気路１６,２６で接続した手乾燥装置１０において、送気路１６,２６に、温風ヒータ１９,２９をそれぞれ配設し、掌側の温風温度を手の甲側以上となるようにした。【選択図】  図３
2006187383.tif 000002
【特許請求の範囲】
【請求項１】
使用者の手が挿入される手乾燥室と、使用者の手の甲に風を吹き出す甲側吹出ノズルと、使用者の掌に風を吹き出す掌側吹出ノズルとを備えて、
使用者の手の甲と掌の両側に前記各吹出ノズルより空気を吹き付けて乾燥させる手乾燥装置であって、
前記甲側吹出ノズルに送風する風を加熱する甲側温風ヒータと、前記掌側吹出ノズルに送風する風を加熱する掌側温風ヒータとを備え、
掌に吹き出す温風の温度が、手の甲に吹き出す温風の温度以上となるようにしたことを特徴とする手乾燥装置。
【請求項２】
前記甲側吹出ノズルに送風する甲側ファンモータと、前記掌側吹出ノズルに送風する掌側ファンモータと、
前記各吹出ノズルへ前記各ファンモータから風を送風する各送気路とを備え、
前記甲側ファンモータおよび掌側ファンモータはそれぞれ前記各送気路に連通するファンモータカバーで覆われ、
前記各ファンモータカバーは、各ファンモータを収納する略円形容器状のカバー部と、前記カバー部の円周面の一部から前記カバー部の円形面の直径よりも小さい幅で突出形成され前記各送気路に接続されるカバー送風路部とからなり、
前記カバー送風路部に前記温風ヒータを収納したことを特徴とする請求項１に記載の手乾燥装置。
【請求項３】
前記温風ヒータには、前記ファンモータから吹出す風と接触して熱伝達を行う熱交換部と、前記温風ヒータに電力を供給する電線を接続する端子部とを有し、
前記端子部は、前記カバー送風路部内の送風方向と平行に配置し、かつ前記端子部に接続する電線の接続方向を前記カバー送風路部内の送風方向と平行になるように構成したことを特徴とする請求項２に記載の手乾燥装置。
【請求項４】
前記温風ヒータの前記各吹出ノズルとの間には、前記温風ヒータで暖められた空気が自然対流可能な対流部を有し、
前記ファンモータの動作前に前記温風ヒータに通電することにより前記対流部内の空気を加熱することを特徴とする請求項２又は３に記載の手乾燥装置。
【発明の詳細な説明】
【技術分野】
【０００１】
本発明は、手乾燥装置に関するものである。
【背景技術】
【０００２】
従来から、ハンカチやペーパータオルを使用することなく濡れた手を乾燥するために、手に空気流を吹き付けることで手を乾燥させる手乾燥装置の代表的なものとしては、例えば、特許文献１に記載されたタイプのものが知られている。このような手乾燥装置では、その上部に開口して形成した開口凹部に手を挿入すると、センサが挿入された手を検知して、内蔵しているファンモータを作動させる。そして、ファンモータが送った空気を、開口凹部の壁に設けた掌側吹出ノズルと甲側吹出ノズルから、挿入した手の掌と甲とに吹き出すように構成している。
【０００３】
また、特許文献１では、外部ヒータを手乾燥装置の給気口に接続可能な構成としており、外部ヒータにより加熱した空気をファンモータに供給することで、吹出ノズルから温風として吹出すことができる。これによって風の冷たさを軽減したり、温風の熱によって濡れた手をより早く乾燥状態とすることができる。
【特許文献１】特開２００３−１６９７５９号公報
【発明の開示】
【発明が解決しようとする課題】
【０００４】
しかしながら、上記従来の手乾燥装置においては、ファンモータの吸い込み側にヒータを設けているので、吹出す温風の温度は掌と甲とで必ず同じになってしまう。手の甲は、掌と比べると風の熱さを感じやすいので、手の甲側の温風温度はあまり高く出来ないが、手の甲側に合わせて掌側の温風温度も低くなってしまうため、手の甲と比べて凹凸の多い掌が乾きにくくなってしまう問題があった。また、外部ヒータで加熱された空気をファンモータに供給するので、暖められて比重の小さくなった空気がファンモータに流れ込み、ファンの送風効率が低下する問題があった。
【０００５】
本発明は、上述した従来技術の問題を解決するためになされたものであり、温風を効率よく送風して高い乾燥性能が得られる手乾燥装置を提供することを目的とする。
【課題を解決するための手段】
【０００６】
上記問題を解決するために、請求項１記載の本発明では、使用者の手が挿入される手乾燥室と、使用者の手の甲に風を吹き出す甲側吹出ノズルと、使用者の掌に風を吹き出す掌側吹出ノズルとを備えて、使用者の手の甲と掌の両側に前記各吹出ノズルより空気を吹き付けて乾燥させる手乾燥装置であって、前記甲側吹出ノズルに送風する風を加熱する甲側温風ヒータと、前記掌側吹出ノズルに送風する風を加熱する掌側温風ヒータとを備え、掌に吹き出す温風の温度が、手の甲に吹き出す温風の温度以上となるようにした。熱さを感じやすい甲側の温風温度を高くなりすぎないように温風を吹出し、かつ、凹凸が大きく乾燥しにくい掌側は、温風温度をやや高めにして吹出すことで乾燥を促進することが出来る。
【０００７】
請求項２記載の本発明では、前記甲側吹出ノズルに送風する甲側ファンモータと、前記掌側吹出ノズルに送風する掌側ファンモータと、前記各吹出ノズルへ前記各ファンモータから風を送風する各送気路とを備え、前記甲側ファンモータおよび掌側ファンモータはそれぞれ前記各送気路に連通するファンモータカバーで覆われ、前記各ファンモータカバーは、各ファンモータを収納する略円形容器状のカバー部と、前記カバー部の円周面の一部から前記カバー部の円形面の直径よりも小さい幅で突出形成され前記各送気路に接続されるカバー送風路部とからなり、前記カバー送風路部に前記温風ヒータを収納した。このように構成することで、温風ヒータはファンモータからノズルまでの送気路のなかでも風路断面積の小さいところに配置されることになり、コンパクトな温風ヒータを用いる場合にも風との接触効率を高めて構成できる。また温風ヒータはファンモータの排気側でファンモータにもっとも近いところに配置されており、温風ヒータからノズルまでの送気路は次第に断面積が大きくなるように構成でき、送気部の圧力損失を小さく出来るので、送風効率も高めることが出来る。なお、この構成によれば、２台のファンモータを体積効率よく配置することができ、コンパクトな手乾燥装置を提供できる。
【０００８】
また、請求項３記載の本発明では、前記温風ヒータには、前記ファンモータから吹出す風と接触して熱伝達を行う熱交換部と、前記温風ヒータに電力を供給する電線を接続する端子部とを有し、前記端子部は、前記カバー送風路部内の送風方向と平行に配置し、かつ前記端子部に接続する電線の接続方向を前記カバー送風路部内の送風方向と平行になるように構成した。接続部分がコンパクトになって加熱されない風の通り道が少なくなる分、温風ヒータ全体では送風との接触効率が高まる。効率アップ分は熱交換部をさらに小さく出来るため、よりコンパクトな手乾燥装置を構成できる。
【０００９】
請求項４記載の本発明では、前記温風ヒータの前記各吹出ノズルとの間には、前記温風ヒータで暖められた空気が自然対流可能な対流部を有し、前記ファンモータの動作前に前記温風ヒータに通電することにより前記対流部内の空気を加熱するようにした。このように運転することで、吹出ノズルから吹き出す風の暖まりを早く出来るため、より乾燥効果を高めることが可能となる。
【発明の効果】
【００１０】
本発明の手乾燥装置によれば、手の乾燥に適した温風を効率的に吹出すことができ、コンパクトな構成でも乾燥効果をより高くすることができる。
【発明を実施するための最良の形態】
【００１１】
以下、添付した図面を参照しつつ、本発明を具体化した一実施形態について説明する。
【００１２】
図１は本発明に係る手乾燥装置１０の使用状態を示す斜視図である。手乾燥装置１０は、略直方体の形状であって、上部を開口した形状を有しており、もっぱら公共の洗面所等の壁１に設置して、手洗い行為などで濡れた手２を乾燥するために用いられるものである。
【００１３】
手２を乾燥する際には、手乾燥装置１０の上部に開口した開口凹部３１へ手２を挿入する。手２の挿入を検知するセンサ３２は、検知信号を制御部（図示せず）に送り、制御部はファンモータ（図示せず）と温風ヒータ（図示せず）とへの通電を開始する。ファンモータの作動によって手乾燥装置１０は、その底部から空気を吸気して、手乾燥装置１０に内蔵した温風ヒータで加熱し、開口凹部３１に挿入した手２に向けて掌側吹出ノズル１７および甲側吹出ノズル２７から加熱した空気を吹き付ける。手２から水滴が吹き飛ばされると共に、水分の蒸発が促されるので、ハンカチやタオルを使うことなく、温められた手２を乾燥できる。なお、図１の手乾燥装置１０の底部近傍に示した太い矢印は吸気される空気の流れを示している。
【００１４】
図２は本発明の実施の形態に係る手乾燥装置１０の外観全体を示す斜視図である。本実施形態の手乾燥装置１０は、送風用の掌側ファンモータ１４と甲側ファンモータ２４及び制御部（図示せず）を内蔵し、外形形状を縦長略矩形状とした箱体３０と、この箱体３０の左側面に着脱自在に装着可能とした左側面パネル３３と、箱体３０の右側面に着脱自在に装着可能とした右側面パネル３４と、箱体３０の底部に設けた空気を吸気する吸気口１１と、吸気口１１部分に装着可する吸気フィルタ３９と、箱体３０の底部に着脱自在に装着可能とした排水受皿３８とで構成している。
【００１５】
箱体３０は、前側開口を有するハウジング５１と、このハウジング５１の前側開口を閉塞する板状の表面カバー５０とで構成している。ハウジング５１の下部側には掌側ファンモータ１４及び甲側ファンモータ２４を収容する収容部を設け、掌側ファンモータ１４及び甲側ファンモータは、それぞれ掌側ファンモータカバー５４と甲側ファンモータカバー５５で覆われている。掌側ファンモータカバー５４と甲側ファンモータカバー５５の上部には掌側ファンモータ１４及び甲側ファンモータ２４によって送り出された空気が通る掌側送気路１６及び甲側送気路２６をそれぞれ掌側ファンモータ１４及び甲側ファンモータ２４の上方に向けて突設している。
【００１６】
掌側送気路１６及び甲側送気路２６のファンモータ近傍の部分は、それぞれ掌側ファンモータカバー５４及び甲側ファンモータカバー５５と一体的に形成している。すなわち掌側ファンモータカバー５４は、掌側ファンモータ１４を覆う略円形容器状の掌側カバー部７４と、掌側送気路１６の一部を構成する掌側カバー送風路部８４とで構成されている。掌側カバー送風路部８４は、掌側カバー部７４の円周側面から突出して、かつ掌側カバー部７４の円形部分の直径よりも小さい幅になるように設けている。甲側ファンモータカバー５５についても同様に、甲側カバー部７５と甲側カバー送風路部８５を有する。なお、図３に示すように、掌側カバー部７４と甲側カバー送風路部８５が隣り合うように配置することによって、手乾燥装置１０内部に２台のファンモータをコンパクトに収納でき、横幅の狭い手乾燥装置１０を提供することができる。
【００１７】
さらに、掌側送気路１６及び甲側送気路２６の上側部分における開口凹部３１側には、複数の小穴状の掌側吹出ノズル１７及び甲側吹出ノズル２７を、開口凹部３１の入口部内面左右方向に一列状に並設し、掌側送気路１６内及び甲側送気路２６を通過した空気を開口凹部３１内方へ向けて吹き出すようにしている。
【００１８】
また、図３において、掌側ファンモータ１４近傍の掌側送気路１６の内部、すなわち掌側カバー送風路部８４には、流路断面よりもやや小さい面積とした掌側温風ヒータ１９を配設しており、掌側ファンモータ１４で送り出された空気を掌側温風ヒータ１９に接触させて、空気を加熱できるようにしている。併せて、掌側と同様に、甲側ファンモータ２４近傍の甲側送気路２６の内部、すなわち甲側カバー送風路部８５にも、流路断面よりもやや小さい面積とした甲側温風ヒータ２９を配設しており、甲側ファンモータ２４で送り出された空気を甲側温風ヒータ２９に接触させて、空気を加熱できるようにしている。
【００１９】
図４に示すように掌側温風ヒータ１９は掌側ファンモータ１４の近傍において、掌側送気路１６の流路断面の大部分を閉塞するような略直方体の形状で、空気と熱交換するための熱交換部６１と、掌側温風ヒータ１９に通電させるための端子部６２とを有している。図４中に示す白抜きの矢印は、掌側ファンモータ１４から送り出される空気の流れる方向、すなわち通風方向を示すが、熱交換部６１には通気性を確保すると共に、空気を加熱するための複数のフィン６０を空気が流れる方向に沿って設けている。端子部６２は、熱交換部６１の長手方向に突出させたヒータ端子６３と、温風ヒータに通電するための導線を有した導線端子６４とを接続している。このヒータ端子６３と導線端子６４とは、略直角に交わるように接続しており、かつ、導線端子６４は掌側送気路１６の通風方向と平行に接続している。なお、ここで通風方向とは、掌側送気路１６の内部を風が流れる方向のことであって、掌側送気路１６においては、掌側ファンモータ１４から掌側吹出ノズル１７に向かう方向をいう。
【００２０】
甲側温風ヒータ２９についても甲側送気路２６に対して、掌側温風ヒータ１９と同様に構成している。
【００２１】
また、図２中、３２は開口凹部３１への手２の挿入を検出するために設けたセンサの一つであり、左側面パネル３３及び右側面パネル３４は、開口状態となっている開口凹部３１の左右側をそれぞれ閉塞するカバーである。
【００２２】
吸気フィルタ３９は、吸気口１１に設置することにより、吸気口１１から吸気する空気中の塵や埃を除去すべく設けており、吸気フィルタ３９の網目構造で塵や埃を捕集することができて、清浄な空気を吸気するようにしている。
【００２３】
排水受皿３８は上部開口を有するトレイで構成している。本実施形態では、開口凹部３１からハウジング５１の左右側面に設けた排水路を通過して流下してきた水を受けるために貯水空間を形成している。
【００２４】
上記構成において、図３〜図６を用いながら本発明の要旨を説明する。図３は表面カバー５０を取外した状態の手乾燥装置１０の正面図であり、図４は送風路部内における温風ヒータの拡大図、図５は図３に示す本実施形態における手乾燥装置１０のＡ−Ａ縦断面図、図６は図３に示す本実施形態における手乾燥装置１０のＢ−Ｂ縦断面図である。また、掌側吹出ノズル１７から吹き出す空気の流れを掌側流路４０として矢印で示し、甲側吹出ノズル２７から吹き出す空気の流れを甲側流路４１として矢印で示している。
【００２５】
まず、吸気口１１から吸入した空気は、空気をファンモータの吸込口へと誘導する吸気路１２内を流れて、ファンモータの空気吸い込み口である掌側ファンモータ吸込口１３と甲側ファンモータ吸込口２３とに分岐する。
【００２６】
分岐した一方である掌側流路４０において、掌側ファンモータ吸込口１３に至った空気は、掌側ファンモータ１４の内部で回転しているファン（図示せず）によって、掌側ファンモータ吐出口１５へ送り出され、掌側ファンモータ吐出口１５に接続した掌側送気路１６に流入する（図５）。
【００２７】
ここで、掌側ファンモータ１４近傍の掌側送気路１６には、掌側送気路１６の流路断面積よりもやや小さい掌側温風ヒータ１９を配設している。
【００２８】
すなわち、掌側ファンモータ１４の吸気口側で空気を加熱するのではなく、掌側ファンモータ１４の吐出口側近傍で空気を加熱するようにしている。
【００２９】
したがって、掌側ファンモータ１４は掌側温風ヒータ１９によって加熱された空気を吸入することがないので、掌側ファンモータ１４に対して加熱した空気がファンモータ内を通過することによる負荷を解消することができる。また、加熱した空気の密度低下によるファンの送風効率低下も解消される。
【００３０】
ところで、空気は加熱することで所定体積あたりの密度が小さくなるので、加熱した空気は、加熱前の空気中において上昇することが知られている。
【００３１】
したがって、掌側温風ヒータ１９は、掌側ファンモータ１４の上方に位置するように配置しているので、掌側ファンモータ１４及び掌側温風ヒータ１９への通電が停止して、通風がない状態で掌側温風ヒータ１９が余熱を持つことがあっても、余熱によって加熱された空気は掌側温風ヒータ１９から上昇する。それゆえ、掌側温風ヒータ１９の下方に位置する掌側ファンモータ１４に加熱された空気が移動することがないので、この空気が滞留した熱で掌側ファンモータ１４が損傷することを防ぐことができる。
【００３２】
また、掌側ファンモータ１４を覆う掌側ファンモータカバー５４の一部に形成された掌側送気路１６に、掌側温風ヒータ１９を設けている。
【００３３】
したがって、掌側ファンモータカバー５４と掌側温風ヒータ１９とを一体としているので、掌側ファンモータ１４及び掌側温風ヒータ１９の分解や組立を同時に行うことができる。
【００３４】
しかも、掌側ファンモータカバー５４を耐熱性素材で形成することで、熱を発生する掌側温風ヒータ１９や掌側ファンモータ１４のそれぞれに耐熱性部材を設ける必要がなく、一つの部材で熱による変形を防ぐことができる。
【００３５】
また、温風ヒータを通過して加熱した空気は、温風ヒータの熱交換部に接触しながら通過した空気と、熱交換部に接触することなく通過した空気とがあり、温風ヒータ通過直後は空気の温度にばらつきがある状態となっている。
【００３６】
そこで、掌側温風ヒータ１９を掌側ファンモータ吐出口１５の近傍に設けることで、加熱した空気が掌側温風ヒータ１９から掌側吹出ノズル１７に達するまでに、空気を混合する時間を長くできて、掌側吹出ノズル１７から均一な温度の空気を吹き出すことができる。
【００３７】
掌側送気路１６は、掌側ファンモータ吐出口１５の上方から掌側吹出ノズル１７へ向かって膨大状としている。
【００３８】
したがって、掌側ファンモータ吐出口１５から掌側膨大部１８へ流れる空気は、流路断面積が広くなる方向へ流れることとなるので、空気が掌側送気路１６を流れる際の抵抗を小さくすることができて、掌側ファンモータ１４の負荷を減少させることができる。
【００３９】
また、掌側ファンモータ１４が作動する例えば１秒前に掌側温風ヒータ１９へ通電し、掌側温風ヒータ１９に空気が流れる前に加熱するよう制御する。この様にあらかじめ掌側温風ヒータ１９を加熱しておくことで、掌側温風ヒータ１９を通過する空気の温度を速やかに上昇させることができて、短時間で手を乾燥することができる。また、掌側膨大部１８内の空気が自然対流により暖められることで、掌側吹出ノズル１７から吹出す風の温度をより速やかに上昇させることが出来る。この場合、掌側膨大部１８が自然対流を行う対流部として機能する。
【００４０】
さらに、たとえば、手乾燥装置１０の使用者が手の乾燥を終了した後であって、次の使用者が手の乾燥を行うまでの間に、掌側膨大部１８内に貯留している空気が放熱して温度が低下した場合を想定する。
【００４１】
このような場合であっても、掌側膨大部１８に温度を検出する手段（たとえば温度センサ等）を備えることで、掌側膨大部１８に貯留した空気の温度が所定温度以下であることを示す信号を受けた制御部が掌側温風ヒータ１９へ通電するように構成する。これにより、掌側温風ヒータ１９近傍の加熱された空気は自然対流によって上昇し、常に所定温度以上の空気を掌側膨大部１８に貯留しておくことができるので、次の使用者は放熱によって冷えた空気を濡れた手に吹き付けることがなく、手を冷やしてしまうことによる不快感を防止することができる。
【００４２】
また、掌側温風ヒータ１９の端子部６２は、熱交換部６１の長手方向に突出させたヒータ端子６３と、温風ヒータに通電するための導線を有した導線端子６４とを接続している。
【００４３】
このヒータ端子６３と導線端子６４とは、略直角に交わるように接続しており、かつ、導線端子６４は掌側送気路１６の通風方向と平行に接続している。
【００４４】
したがって、掌側カバー送風路部８４の流路断面積において、端子部６２が占める面積を小さくすることができるので、空気に対して更に大きな熱流束を与えることができる。
【００４５】
以上、吸気路内で分岐した流路の一方である掌側流路４０について説明してきたが、図６に示す他方の甲側流路４１についても、掌側流路４０とあるのは甲側流路４１と、掌側ファンモータ吸込口１３とあるのは甲側ファンモータ吸込口２３と、掌側ファンモータ１４とあるのは甲側ファンモータ２４と、掌側ファンモータ吐出口１５とあるのは甲側ファンモータ吐出口２５と、掌側送気路１６とあるのは甲側送気路２６と、掌側温風ヒータ１９とあるのは甲側温風ヒータ２９と、掌側ファンモータカバー５４とあるのは甲側ファンモータカバー５５と、掌側吹出ノズル１７,１７,…とあるのは甲側吹出ノズル２７,２７,…と、掌側膨大部１８とあるのは甲側膨大部２８と、掌側カバー部７４とあるのは甲側カバー部７５と、掌側カバー送風路部８４とあるのは甲側カバー送風路部８５と読み替えることで本発明に係る要旨について同様のことがいえるので、詳説は省略する。
【００４６】
本発明においては、掌側と甲側とにそれぞれ温風ヒータを備えるようにしたので、掌側温風ヒータ１９への通電量を、甲側温風ヒータ２９への通電量よりも多くするように制御することで、掌側の加熱量を甲側よりも多くすることが容易に可能となり、手の甲側に吹き付ける温風の温度を抑えつつ、掌側の温風温度をやや高くすることで掌側の乾燥効果を高めることが出来る。
【００４７】
掌側温風ヒータ１９と甲側温風ヒータ２９とに、同じ温風ヒータ、すなわちヒータ容量や熱交換部の形状や材質や接触効率の同じものを用いても良い。その場合には掌側の送風量を、甲側よりも大きくすることで、掌側温風ヒータ１９を通過する風の速度が大きくなることによる熱伝達促進効果により、掌側吹出ノズル１７から吹出す温風温度を、甲側よりも高くすることが出来る。掌側ファンモータ１４と甲側ファンモータ２４に同じファンモータを用いる場合には、掌側ファンモータ１４の回転数が、甲側ファンモータ２４よりも大きくなるように、それぞれのファンモータへの通電量を制御すればよいし、送風能力の異なるファンモータを用いてもよい。
【００４８】
また、本発明を実施形態を通して説明したが、本発明は上述の実施形態に限定されるものではなく、本発明の技術思想から逸脱しない範囲で適宜設計変更などをしてもよい。
【図面の簡単な説明】
【００４９】
【図１】本実施形態に係る手乾燥装置の使用状態を示す斜視図である。
【図２】本実施形態に係る手乾燥装置の外観全体を示す斜視図である。
【図３】表面カバーを取外した状態の手乾燥装置の正面図である。
【図４】本実施形態に係る手乾燥装置の温風ヒータ近傍の説明図である。
【図５】本実施形態に係る手乾燥装置のA−A断面図である。
【図６】本実施形態に係る手乾燥装置のB−B断面図である。
【符号の説明】
【００５０】
手  ２
手乾燥装置  １０
掌側ファンモータ  １４
掌側送気路  １６
掌側吹出ノズル  １７
掌側膨大部  １８
掌側温風ヒータ  １９
甲側ファンモータ  ２４
甲側送気路  ２６
甲側吹出ノズル  ２７
甲側膨大部  ２８
甲側温風ヒータ  ２９
掌側ファンモータカバー  ５４
甲側ファンモータカバー  ５５
熱交換部  ６１
端子部  ６２
掌側カバー部  ７４
甲側カバー部  ７５
掌側カバー送風路部  ８４
甲側カバー送風路部  ８５
【図１】
2006187383.tif 000003
【図２】
2006187383.tif 000004
【図３】
2006187383.tif 000005
【図４】
2006187383.tif 000006
【図５】
2006187383.tif 000007
【図６】
2006187383.tif 000008
【手続補正書】
【提出日】平成18年2月13日(2006.2.13)
【手続補正１】
【補正対象書類名】特許請求の範囲
【補正対象項目名】全文
【補正方法】変更
【補正の内容】
【特許請求の範囲】
【請求項１】
使用者の手が挿入される手乾燥室と、使用者の手の甲に風を吹き出す甲側吹出ノズルと、使用者の掌に風を吹き出す掌側吹出ノズルとを備えて、
使用者の手の甲と掌の両側に前記各吹出ノズルより空気を吹き付けて乾燥させる手乾燥装置であって、
前記甲側吹出ノズルに送風する風を加熱する甲側温風ヒータと、前記掌側吹出ノズルに送風する風を加熱する掌側温風ヒータとを備え、
掌側温風ヒータへの通電量を、甲側温風ヒータへの通電量よりも多くすることにより、掌に吹き出す温風の温度が、手の甲に吹き出す温風の温度より高くなるようにしたことを特徴とする手乾燥装置。
【請求項２】
前記甲側吹出ノズルに送風する甲側ファンモータと、前記掌側吹出ノズルに送風する掌側ファンモータと、
前記各吹出ノズルへ前記各ファンモータから風を送風する各送気路とを備え、
前記甲側ファンモータおよび掌側ファンモータはそれぞれ前記各送気路に連通するファンモータカバーで覆われ、
前記各ファンモータカバーは、各ファンモータを収納する略円形容器状のカバー部と、前記カバー部の円周面の一部から前記カバー部の円形面の直径よりも小さい幅で突出形成され前記各送気路に接続されるカバー送風路部とからなり、
前記カバー送風路部に前記温風ヒータを収納したことを特徴とする請求項１に記載の手乾燥装置。
【請求項３】
前記温風ヒータには、前記ファンモータから吹出す風と接触して熱伝達を行う熱交換部と、前記温風ヒータに電力を供給する電線を接続する端子部とを有し、
前記端子部は、前記熱交換部の長手方向に突出させたヒータ端子と、前記温風ヒータに通電するための導線を有した導線端子とを備えるとともに、
前記ヒータ端子と前記導線端子とは、略直角に交わるように接続し、しかも、前記導線端子は通風方向と平行に接続していることを特徴とする請求項２に記載の手乾燥装置。
【請求項４】
前記温風ヒータの前記各吹出ノズルとの間には、前記温風ヒータで暖められた空気が自然対流可能な対流部を有し、
前記ファンモータの動作前に前記温風ヒータに通電することにより前記対流部内の空気を加熱することを特徴とする請求項２又は３に記載の手乾燥装置。
【手続補正２】
【補正対象書類名】明細書
【補正対象項目名】０００６
【補正方法】変更
【補正の内容】
【０００６】
上記問題を解決するために、請求項１記載の本発明では、使用者の手が挿入される手乾燥室と、使用者の手の甲に風を吹き出す甲側吹出ノズルと、使用者の掌に風を吹き出す掌側吹出ノズルとを備えて、使用者の手の甲と掌の両側に前記各吹出ノズルより空気を吹き付けて乾燥させる手乾燥装置であって、前記甲側吹出ノズルに送風する風を加熱する甲側温風ヒータと、前記掌側吹出ノズルに送風する風を加熱する掌側温風ヒータとを備え、掌側温風ヒータへの通電量を、甲側温風ヒータへの通電量よりも多くすることにより、掌に吹き出す温風の温度が、手の甲に吹き出す温風の温度より高くなるようにした。熱さを感じやすい甲側の温風温度を高くなりすぎないように温風を吹出し、かつ、凹凸が大きく乾燥しにくい掌側は、温風温度をやや高めにして吹出すことで乾燥を促進することが出来る。
【手続補正３】
【補正対象書類名】明細書
【補正対象項目名】０００８
【補正方法】変更
【補正の内容】
【０００８】
また、請求項３記載の本発明では、前記温風ヒータには、前記ファンモータから吹出す風と接触して熱伝達を行う熱交換部と、前記温風ヒータに電力を供給する電線を接続する端子部とを有し、前記端子部は、前記熱交換部の長手方向に突出させたヒータ端子と、前記温風ヒータに通電するための導線を有した導線端子とを備えるとともに、前記ヒータ端子と前記導線端子とは、略直角に交わるように接続し、しかも、前記導線端子は通風方向と平行に接続した。接続部分がコンパクトになって加熱されない風の通り道が少なくなる分、温風ヒータ全体では送風との接触効率が高まる。効率アップ分は熱交換部をさらに小さく出来るため、よりコンパクトな手乾燥装置を構成できる。